(57)【要約】      （修正有）【課題】小学校低学年の児童が、九九の暗唱を無理なく、楽しく、ゲーム感覚で練習ができる九九暗唱練習器を提供する。【解決手段】後方文字盤の外周にアラビア数字で表した九九の問題を配置し、後方文字盤に重ねて、後方文字盤と同心回転可能に取り付けられた、前方表示窓付き回転盤に設けた選択マークを、後方文字盤の任意の問題マークに合わせると、ひらがな表記による問題部分だけを前方表示窓付き回転盤に設けた窓に表示する。答え部分は、前方表示窓付き回転盤を回転させることによって表示されることを特徴とする。【選択図】図５
0003151441.tif 000002
【実用新案登録請求の範囲】
【請求項１】
後方文字盤および前方表示窓付き回転盤からなる、九九の暗唱練習器であって、前方回転盤の表示窓にひらがな表記の問題および答えを表示することを特徴とする九九の暗唱練習器。
【請求項２】
後方文字盤に同心円状に配置された、ひらがな表記の答えおよびアラビア数字の答えは、ひらがな表記の問題とは角度をつけて配置し、問題と答えを交互に表示することを特徴とする九九暗唱練習器。
【考案の詳細な説明】
【技術分野】
【０００１】
本考案は、小学校低学年の児童等の九九の暗唱練習器に関するものである。
【背景技術】
【０００２】
小学校低学年の児童の算数教育において、掛け算九九は絶対にマスターして完全に覚えなければならない。
【０００３】
従来技術としては、登録実用新案第３０５３２１６号の掛け算練習器があり、これは円盤を回転させる操作によって掛け算のアラビア数字の問題と答えを表示窓に表示するものである。しかし、これは九九の暗唱の対象となるひらがな表記がないという欠点がある。
【０００４】
また、文房具等に印刷された、ひらがな表記の九九一覧表を、見ながら九九の暗唱練習をするのが一般的である。しかし、この暗唱練習は、単調で面白みに欠け、すぐに飽きてしまうという欠点がある。
【０００５】
本考案は、従来の掛け算練習器や九九一覧表による、九九の暗唱練習が有していた問題を解決しようとするものであり、学習意欲を高め、九九の暗唱を、ゲーム感覚で、楽しく、容易に完全マスターさせることを目的とする。
【特許文献１】登録実用新案第３０５３２１６号
【考案の開示】
【考案が解決しようとする課題】
【０００６】
解決しようとする問題点は、従来の掛け算九九の暗唱練習が単調で面白味に欠ける点である。
【課題を解決するための手段】
【０００７】
この改善策として、後方文字盤の外周にアラビア数字で表した九九の問題を配置し、後方文字盤に重ねて、後方文字盤と同心回転可能に取り付けられた、前方表示窓付き回転盤に設けた選択マークを、後方文字盤の任意の問題マークに合わせると、ひらがな表記による問題、例えば、２ｘ２ならば、ににんが、と問題部分だけを、前方表示窓付き回転盤に設けた窓に表示する。答え部分は、前方表示窓付き回転盤を約10°回転させることによって表示される、このときアラビア数字による答えも同時に表示される構成としたものである。
【考案の効果】
【０００８】
本考案の九九練習器は、ひらがな表記を用いることによって、語呂合わせや韻を踏むなどの手法により、リズミカルに唱えることができ、回転盤を動かすことによって、好奇心が刺激され、学習意欲を高めることができるという利点がある。
【０００９】
また、問題と答えが交互に表示されることによって、ゲーム感覚での、練習が可能になり、進捗状況が容易に把握でき、達成感を得ることができるという利点がある。
【考案を実施するための最良の形態】
【００１０】
本考案の実施をするための形態を図面を参照しながら説明する。この九九暗唱練習器は、後方文字盤および前方表示窓付き回転盤を一組として、２のだんおよび３のだんで一組、４のだんおよび５のだんで一組、６のだんおよび７のだんで一組、８のだんおよび９のだんで一組と合計４組で構成され、２のだん、３のだんと４のだん、５のだんは九九暗唱練習器１の表面と裏面とし、６のだん、７のだんと８のだん、９のだんは九九暗唱練習器２の表面と裏面とし、それぞれ図１から図４に示す。
【００１１】
後方文字盤は、２のだんおよび３のだんと、４のだんおよび５のだんを、また、６のだんおよび７のだんと、８のだんおよび９のだんを、それぞれ背中合わせに、接着し前方表示窓付き回転盤をそれぞれの対応する後方文字盤に同心回転可能に取り付ける。
【実施例１】
【００１２】
図５は、本考案の２ｘ２の問題が表示されている実施例である。このようにひらがな表記の問題を表示し、ににんが、し、と唱えてから、図６で示すように、答えを確かめる。自分で暗唱の進捗状況を確認することができ、何度でも繰り返し練習することができる。
【産業上の利用可能性】
【００１３】
２００６年度の新生児の出生数は１０６万人程度であり、例年その程度で推移している。小学校2年生を中心に前後2年間を対象と考え、約５３０万人が対象年齢となり、ほぼ１００％の児童が、九九の暗唱練習をすることになるので、一定数の需要が期待できる。
【図面の簡単な説明】
【００１４】
【図１】九九暗唱練習器１表面の分解図
【図２】九九暗唱練習器１裏面の分解図
【図３】九九暗唱練習器２表面の分解図
【図４】九九暗唱練習器２裏面の分解図
【図５】問題部分を表示した九九暗唱練習器１の表面図
【図６】答え部分を表示した九九暗唱練習器１の表面図
【符号の説明】
【００１５】
０１    後方文字盤、２のだん、３のだんの斜視図
０２    前方表示窓付き回転盤、２のだん、３のだんの斜視図
０３    後方文字盤、４のだん、５のだんの斜視図
０４    前方表示窓付き回転盤、４のだん、５のだんの斜視図
０５    後方文字盤、６のだん、７のだんの斜視図
０６    前方表示窓付き回転盤、６のだん、７のだんの斜視図
０７    後方文字盤、８のだん、９のだんの斜視図
０８    前方表示窓付き回転盤、８のだん、９のだんの斜視図
０９    同芯支持材
１１    アラビア数字表記の答え表示窓
１２    ひらがな表記の問題表示窓
１３    ひらがな表記の答え表示窓
１４    選択マーク
２１    アラビア数字表記の答え表示窓
２２    問題表示マーク
２３    答え表示マーク
１１ａ  アラビア数字表記の答え
１２ａ  ひらがな表記の問題
１３ａ  ひらがな表記の答え
【図１】
0003151441.tif 000003
【図２】
0003151441.tif 000004
【図３】
0003151441.tif 000005
【図４】
0003151441.tif 000006
【図５】
0003151441.tif 000007
【図６】
0003151441.tif 000008
【手続補正書】
【提出日】平成21年4月14日(2009.4.14)
【手続補正１】
【補正対象書類名】実用新案登録請求の範囲
【補正対象項目名】全文
【補正方法】変更
【補正の内容】
【実用新案登録請求の範囲】
【請求項１】
後方文字盤および前方表示窓付き回転盤からなる、九九の暗唱練習器であって、前方回転盤の表示窓に、後方文字盤に配置されたひらがな表記の問題および答えを表示することを特徴とする九九の暗唱練習器。
【請求項２】
後方文字盤に同心円状に配置された、ひらがな表記の答えおよびアラビア数字の答えは、ひらがな表記の問題とは角度を異ならせて配置し、問題と答えを交互に表示することを特徴とする請求項１に記載の九九暗唱練習器。